(57)【特許請求の範囲】
【請求項１】
パチンコ島内に設置されたパチンコ玉揚送装置の上部タンクからパチンコ玉を補給樋を介してパチンコ島のパチンコ台及び台間玉貸機へ補給すると共に、各パチンコ台から排出したパチンコ玉を回収樋によって回収し、前記パチンコ玉揚送装置によって前記上部タンクへ揚送するパチンコ玉循環システムにおいて、
少なくともパチンコ玉計数機に投入されたパチンコ玉の一部が貯留される第一の下部貯留タンクを含む複数の下部貯留タンクをパチンコ島の複数箇所にそれぞれ配置し、
前記上部タンク内のパチンコ玉をパチンコ島内の複数箇所に配置した各下部貯留タンクへそれぞれ導く複数のオーバーフロー通路を設けると共に、前記上部タンク内のパチンコ玉の貯留高さに応じて前記複数の各オーバーフロー通路へパチンコ玉を流入させる分岐手段を設け、
前記複数のオーバーフロー通路のうちの低位置に流入口が設けられた下位のオーバーフロー通路及び該オーバーフロー通路に連通する前記下部貯留タンクが満杯となると、順次高位置に流入口が設けられた上位のオーバーフロー通路へと前記分岐手段によってパチンコ玉が流入するようにし、
最上位のオーバーフロー通路は、前記第一の下部貯留タンクに接続されていることを特徴とするパチンコ玉循環システム。
【請求項２】
パチンコ島内に設置されたパチンコ玉揚送装置の上部タンクからパチンコ玉を補給樋を介してパチンコ島のパチンコ台及び台間玉貸機へ補給すると共に、各パチンコ台から排出したパチンコ玉を回収樋によって回収し、前記パチンコ玉揚送装置によって前記上部タンクへ揚送するパチンコ玉循環システムにおいて、
複数の下部貯留タンクをパチンコ島の複数箇所にそれぞれ配置するとともに、上部タンク内のパチンコ玉の貯留高さに応じて前記複数の各オーバーフロー通路へ順次パチンコ玉を流入させる場合に、
パチンコ島に設けたパチンコ玉計数機の近傍に複数の下部貯留タンクのうち上部タンクからのパチンコ玉の流入が最後に行われる第一の下部貯留タンクを設け、該パチンコ玉計数機に投入されたパチンコ玉を前記回収樋で受けると共に、前記回収樋で滞留しているパチンコ玉を開口部から前記第一の下部貯留タンクへ落下させるようにしたことを特徴とするパチンコ玉循環システム。
【請求項３】
パチンコ島内に設置されたパチンコ玉揚送装置の上部タンクからパチンコ玉を補給樋を介してパチンコ島のパチンコ台及び台間玉貸機へ補給すると共に、各パチンコ台から排出したパチンコ玉を回収樋によって回収し、前記パチンコ玉揚送装置によって前記上部タンクへ揚送するパチンコ玉循環システムにおいて、
少なくともパチンコ玉計数機に投入されたパチンコ玉の一部が貯留される第一の下部貯留タンクを含む複数の下部貯留タンクをパチンコ島の複数箇所にそれぞれ配置し、
前記上部タンク内のパチンコ玉をパチンコ島内の複数箇所に配置した各下部貯留タンクへそれぞれ導く複数のオーバーフロー通路を設けると共に、
前記上部タンク内のパチンコ玉の貯留高さが所定値を下回った場合に、前記複数の下部貯留タンク内のパチンコ玉を、最高位置に流入口が設けられた最上位のオーバーフロー通路に接続される下部貯留タンクから最低位置に流入口が設けられた最下位のオーバーフロー通路に接続される下部貯留タンクに到る予め決められた順序で前記回収樋へ排出するようにし、
最上位のオーバーフロー通路は、前記第一の下部貯留タンクに接続されていることを特徴とするパチンコ玉循環システム。
【請求項４】
請求項１または３に記載のパチンコ玉循環システムにおいて、
前記複数の下部貯留タンクは、さらに、パチンコ玉揚送装置の近傍に配置される第二の下部貯留タンクを含み、
最下位のオーバーフロー通路は前記第二の下部貯留タンクに接続されていることを特徴とするパチンコ玉循環システム。
【請求項５】
請求項１から４のいずれか１項に記載のパチンコ玉循環システムにおいて、
前記補給樋の下側に前記補給樋内のパチンコ玉が流入する補給サブタンクを設け、
該補給サブタンク内のパチンコ玉をパチンコ台あるいは台間玉貸機へ供給可能にしたことを特徴とするパチンコ玉循環システム。
【請求項６】
請求項１から５のいずれか１項に記載のパチンコ玉循環システムにおいて、
複数の下部貯留タンクを前記回収樋の下方に設け、前記上部タンク内のパチンコ玉を前記複数の各下部貯留タンクへそれぞれ導く複数のオーバーフロー通路を設けると共に、
前記複数のオーバーフロー通路のうちの最上位のオーバーフロー通路の下端部に、前記下部貯留タンク内へパチンコ玉を排出する第１の排出口を設け、その上方に前記下部貯留タンクがパチンコ玉で満杯になった場合にパチンコ玉を前記回収樋に排出する第２の排出口を設けたことを特徴とするパチンコ玉循環システム。
【発明の詳細な説明】
【０００１】
【発明の属する技術分野】
本発明はパチンコ遊技店内に設置したパチンコ島内におけるパチンコ玉循環システムに関し、特にオーバーフローしたパチンコ玉を貯留する下部貯留タンクを複数箇所に設けて順次貯留していくようにしたパチンコ島内におけるパチンコ玉循環システムに関する。
【０００２】
【従来の技術】
パチンコ島内においては、上部タンク内に貯留したパチンコ玉をパチンコ台及び台間玉貸機に補給樋によって補給し、パチンコ台から落下したパチンコ玉を回収樋で回収し、回収したパチンコ玉をパチンコ玉揚送装置で上部タンクに揚送することによって１つのパチンコ島内でパチンコ玉を循環させているが、例えばパチンコ台で多量に賞球としてパチンコ玉が排出される場合にパチンコ玉の不足が生じないように、パチンコ島内にできるだけ大量にパチンコ玉を貯留しておく必要があるが、上部タンク及び補給樋内のパチンコ玉の貯留だけではパチンコ玉の貯留量は不充分である。
【０００３】
このため、従来では、図１０に示すようにパチンコ島３００の上部タンク３０１の他に、貯留タンク３０２を設けて、上部タンク３０１内の所定レベル以上のパチンコ玉をオーバーフロー樋３０３によって落下させて前記貯留タンク３０２に落下させてパチンコ玉を貯留しておき、上部タンク３０１内のパチンコ玉が所定レベル以下になると、貯留タンク３０２内のパチンコ玉を回収樋３０４へ送出装置３０２′で送り出して、回収樋３０４の終端部から上部タンク３０１にパチンコ玉揚送装置３０５によって揚送するようにしていた。（なお、図１０において３０６は補給樋、３０７はパチンコ玉、３０８は台間玉貸機を示している。）
【０００４】
しかして、このように従来では、オーバーフロー樋３０３で上部タンク３０１内のパチンコ玉を一方向へオーバーフローさせて、図１０に示すように１ケ所にのみ貯留させているが、パチンコ島３００内のパチンコ玉貯留量を充分大きくするためには、貯留タンク３０２が１個のみであるため必然的に大型化せざるを得ない。
【０００５】
このため、従来では、図１０に示すようにこの貯留タンク３０２はパチンコ島１の一方の端部の下方の水平部分３０２ａと垂直部分３０２ｂとで構成して大容量にし、多量にパチンコ玉を貯留できるようにしていた。
【０００６】
【発明が解決しようとする課題】
しかしながら、このような従来のパチンコ島では、パチンコ島の島端あるいは中央の１ケ所に大容量の貯留タンクを設置して１ケ所の貯留タンクに多量のパチンコ玉を貯留していたため、パチンコ島が設置された床の１ケ所に多量のパチンコ玉による大重量が集中し、床に部分的に重量が集中して危険なため、２階、３階などに設置できないなど設置条件が狭くなっていた。
【０００７】
また、パチンコ台で多量に賞球としてパチンコ玉が排出されて上部タンク３０１へ早急にパチンコ玉を揚送装置３０５で揚送する必要があるとき、貯留タンク３０２内のパチンコ玉を回収樋３０４へ送り出すが、この送出装置３０２′が故障した場合、貯留タンク３０２及び送出装置３０２′が１ケ所にしかないため、上部タンク３０１内へパチンコ玉を揚送できなくなり、上部タンク３０１のパチンコ玉の不足が生じてパニックとなる危険があった。
【０００８】
また、図１０に示すようにパチンコ島３００の島端に１ケ所のみ貯留タンク３０２を設置した場合、大容量とするために垂直部３０２ｂを設ける必要上、パチンコ島３００の一端のパチンコ台の側方に貯留タンク３０２の分だけでっぱった状態となり、床の占有面積が大となって通行しにくくなり、又美観も好ましくなかった。
本発明はこれらの問題を解決したパチンコ島内におけるパチンコ玉循環システムを提供することを目的としている。
【０００９】
【課題を解決するための手段】
前記目的を達成するために本発明の請求項１のパチンコ玉循環システムでは、パチンコ島内に設置されたパチンコ玉揚送装置の上部タンクからパチンコ玉を補給樋を介してパチンコ島のパチンコ台及び台間玉貸機へ補給すると共に、各パチンコ台から排出したパチンコ玉を回収樋によって回収し、前記パチンコ玉揚送装置によって前記上部タンクへ揚送するパチンコ玉循環システムにおいて、少なくともパチンコ玉計数機に投入されたパチンコ玉の一部が貯留される第一の下部貯留タンクを含む複数の下部貯留タンクをパチンコ島の複数箇所にそれぞれ配置し、前記上部タンク内のパチンコ玉をパチンコ島内の複数箇所に配置した各下部貯留タンクへそれぞれ導く複数のオーバーフロー通路を設けると共に、前記上部タンク内のパチンコ玉の貯留高さに応じて前記複数の各オーバーフロー通路へパチンコ玉を流入させる分岐手段を設け、前記複数のオーバーフロー通路のうちの低位置に流入口が設けられた下位のオーバーフロー通路及び該オーバーフロー通路に連通する前記下部貯留タンクが満杯となると、順次高位置に流入口が設けられた上位のオーバーフロー通路へと前記分岐手段によってパチンコ玉が流入するようにし、最上位のオーバーフロー通路は、前記第一の下部貯留タンクに接続されていることを特徴としている。
【００１０】
従って請求項１のパチンコ玉循環システムでは、上部タンク内のパチンコ玉の貯留高さが所定レベルを超えると、まず、複数のオーバーフロー通路のうち分岐手段で最下位のオーバーフロー通路に導かれて、パチンコ島下部の複数箇所の下部貯留タンクのうちの最下位のオーバーフロー通路に連通する下部貯留タンクにパチンコ玉が貯留され、この下部貯留タンクが満杯になり、上部タンク内のパチンコ玉の貯留高さが次に高いオーバーフロー通路の流入部の高さより高くなると、この次に高いオーバーフロー通路にパチンコ玉が導かれて、このオーバーフロー通路に連通する下部貯留タンクにパチンコ玉が貯留される。このようにして順次高い位置のオーバーフロー通路を通って、上部タンク内のパチンコ玉はそのオーバーフロー通路に連通する下部貯留タンク内に貯留される。このように、パチンコ島の下部に複数箇所に設けられた各下部貯留タンクに、上部タンクでオーバーフローしたパチンコ玉が順次自動的に貯留される。
【００１１】
このようにパチンコ玉はパチンコ島下部の複数箇所の下部貯留タンクに順次貯留されるから、１ケ所に貯留パチンコ玉による大重量が集中せずに分散され、床に大重量が集中する危険がなくなる。
【００１２】
また、上部タンクでパチンコ玉を必要とするとき複数の下部貯留タンクのそれぞれからパチンコ玉を送出できるから、１ケ所の下部貯留タンクのパチンコ玉送出装置が故障してもパニックを避けることができる。
【００１３】
また、複数の下部貯留タンクに分散してパチンコ玉を貯留するから、１つ１つの下部貯留タンクは小型ですみ、このためパチンコ島の適当な明いたスペースに下部貯留タンクを設置できる。従って、１個の大型の貯留タンクを設けた場合のようにパチンコ島の側方に貯留タンクがでっぱらないから、床の占有面積を大きくしなくてすみ、また美観を損ねることもなくなる。
【００１４】
本発明の請求項２のパチンコ玉循環システムは、パチンコ島内に設置されたパチンコ玉揚送装置の上部タンクからパチンコ玉を補給樋を介してパチンコ島のパチンコ台及び台間玉貸機へ補給すると共に、各パチンコ台から排出したパチンコ玉を回収樋によって回収し、前記パチンコ玉揚送装置によって前記上部タンクへ揚送するパチンコ玉循環システムにおいて、複数の下部貯留タンクをパチンコ島の複数箇所にそれぞれ配置するとともに、上部タンク内のパチンコ玉の貯留高さに応じて前記複数の各オーバーフロー通路へ順次パチンコ玉を流入させる場合に、パチンコ島に設けたパチンコ玉計数機の近傍に複数の下部貯留タンクのうち上部タンクからのパチンコ玉の流入が最後に行われる第一の下部貯留タンクを設け、該パチンコ玉計数機に投入されたパチンコ玉を前記回収樋で受けると共に、前記回収樋で滞留しているパチンコ玉を開口部から前記第一の下部貯留タンクへ落下させるようにしたことを特徴とする。
【００１５】
従って、請求項２のパチンコ玉循環システムでは、例えば閉店時に多数の客がパチンコ玉計数機へ多量にパチンコ玉を投入した場合に、回収樋に滞留するパチンコ玉が開口部から下部貯留タンクにパチンコ玉が流入するため、パチンコ玉計数機へ多量のパチンコ玉が時間的に集中して投入された場合でも、パチンコ玉を受け入れることができる。
【００１６】
また、本発明の請求項３のパチンコ玉循環システムは、パチンコ島内に設置されたパチンコ玉揚送装置の上部タンクからパチンコ玉を補給樋を介してパチンコ島のパチンコ台及び台間玉貸機へ補給すると共に、各パチンコ台から排出したパチンコ玉を回収樋によって回収し、前記パチンコ玉揚送装置によって前記上部タンクへ揚送するパチンコ玉循環システムにおいて、少なくともパチンコ玉計数機に投入されたパチンコ玉の一部が貯留される第一の下部貯留タンクを含む複数の下部貯留タンクをパチンコ島の複数箇所にそれぞれ配置し、前記上部タンク内のパチンコ玉をパチンコ島内の複数箇所に配置した各下部貯留タンクへそれぞれ導く複数のオーバーフロー通路を設けると共に、前記上部タンク内のパチンコ玉の貯留高さが所定値を下回った場合に、前記複数の下部貯留タンク内のパチンコ玉を、最高位置に流入口が設けられた最上位のオーバーフロー通路に接続される下部貯留タンクから最低位置に流入口が設けられた最下位のオーバーフロー通路に接続される下部貯留タンクに到る予め決められた順序で前記回収樋へ排出するようにし、最上位のオーバーフロー通路は、前記第一の下部貯留タンクに接続されていることを特徴とする。
【００１７】
従って、請求項３のパチンコ玉循環システムでは、最上位から最下位のオーバーフロー高さに対応した各下部貯留タンクへ到る予め決められた順序で、各下部貯留タンク内のパチンコ玉を回収樋へ送出してパチンコ玉揚送装置でパチンコ玉を上部タンクへ揚送するので、次に上部タンク内のパチンコ玉がオーバーフローする際に、パチンコ玉が先に送出された下部貯留タンクから始まるように、オーバーフローしたパチンコ玉の貯留を行うことができる。
【００１８】
また本発明の請求項４のパチンコ玉循環システムでは、前記複数の下部貯留タンクは、さらに、パチンコ玉揚送装置の近傍に配置される第二の下部貯留タンクを含み、最下位のオーバーフロー通路は前記第二の下部貯留タンクに接続されている。
【００２０】
また、本発明の請求項５のパチンコ玉循環システムは、さらに、前記補給樋の下側に前記補給樋内のパチンコ玉が流入する補給サブタンクを設け、該補給サブタンク内のパチンコ玉をパチンコ台あるいは台間玉貸機へ供給可能にしている。
【００２１】
従って、請求項５のパチンコ玉循環システムでは、補給樋内のパチンコ玉が補給サブタンクに流入して貯留され、この補給サブタンクからパチンコ台や台間玉貸機へ補給されるから、パチンコ台や台間玉貸機へのパチンコ玉の補給量にゆとりが生じ、上部タンク内のパチンコ玉が不足していてもパチンコ台への多量のパチンコ玉の放出などに応ずることができる。
【００２２】
また、本発明の請求項６のパチンコ玉循環システムは、さらに、複数の下部貯留タンクを前記回収樋の下方に設け、前記上部タンク内のパチンコ玉を前記複数の各下部貯留タンクへそれぞれ導く複数のオーバーフロー通路を設けると共に、前記複数のオーバーフロー通路のうちの最上位のオーバーフロー通路の下端部に、前記下部貯留タンク内へパチンコ玉を排出する第１の排出口を設け、その上方に前記下部貯留タンクがパチンコ玉で満杯になった場合にパチンコ玉を前記回収樋に排出する第２の排出口を設けている。
【００２３】
従って、請求項６のパチンコ玉循環システムでは、他のすべての下部貯留タンクが満杯となり、最後の１つの下部貯留タンクに第１の排出口からパチンコ玉が排出されてこの下部貯留タンク内に貯留され、この下部貯留タンクがパチンコ玉で満杯になると、その上方の第２の排出口からパチンコ玉が回収樋へ排出され、パチンコ玉の供給先が自動的に振り替えられる。
【００２４】
【発明の実施の形態】
以下、図面に基づいて本発明の実施の形態を説明する。
図１はパチンコ島（親島）１の構成を示すものであって、複数のパチンコ台２と複数の台間玉貸機３が列状に設置され、パチンコ島１の端部には景品玉計数機４が設けられている。
【００２５】
パチンコ島１の中央上方には、これらのパチンコ台２、台間玉貸機３の上方において、パチンコ玉を貯留する上部タンク１０が設けられている。
上部タンク１０内に貯留されたパチンコ玉は、左右両端部に向かって下向きに傾斜した第１、第２の補給樋２０、２１に沿って自然落下し、各パチンコ台２及び台間玉貸機３ごとに設けられたジャバラ２２を介して各パチンコ台２、台間玉貸機３へ自然落下して補給される。即ち、補給樋２０にはその全長にわたって常に上部タンク２０からのパチンコ玉が充満した状態となっていて、パチンコ台２、台間玉貸機３へパチンコ玉が補給されるたびに、上部タンク２０からパチンコ玉が自然落下によってパチンコ玉が補給樋２０、２１に充満した状態にされる。
【００２６】
パチンコ台２及び台間玉貸機３の下方には、パチンコ島１の左右両端側から中央（上部タンク１０の下方）に向かって下り勾配に傾斜した第１、第２の回収樋３０、３１が設けられている。
【００２７】
第１、第２の回収樋３０、３１の下端部には落下口３２が設けられていて、パチンコ台２から落下したパチンコ玉は、第１、第２の回収樋３０、３１に沿って自然落下し、落下口３２からパチンコ玉揚送装置４０のパチンコ玉集積部４１へ落下する。
【００２８】
パチンコ玉集積部４１内のパチンコ玉は、常時パチンコ玉揚送装置４０によって上部タンクへ研磨材と共に揚送されている。
即ち、パチンコ玉集積部４１内に落下したパチンコ玉は、モータ（図示せず）によって内部で回転するコイル４２によって、水平管４３内を研磨材と共に混合されて洗浄されつつ揚送管４４の下端へ送られ、モータ（図示せず）によって内部で回転するコイル４６によって、揚送管４４内を研磨剤と共に混合されて洗浄されつつ上部タンク１０へと揚送され、図２に示すように揚送管４４の上端近傍の排出口４４ａから側方の傾斜したすのこ４７へ研磨材とパチンコ玉とが排出される。研磨材は２段のすのこ４７、４８を通過して、研磨材排出パイプ４９を通って自然落下して水平管４３へ戻される。
【００２９】
パチンコ玉は、上段の傾斜したすのこ４７上を自然落下し、親島（景品玉計数機が設置されたパチンコ島）から子島（景品玉計数機が設置されていないパチンコ島）へとパチンコ玉を補給するための後述するバランス樋１６０の上端部１６０ａを経由して、下段の傾斜したすのこ４８上を自然落下し、上部タンク１０内に送り込まれる。
【００３０】
すのこ４８から落下したパチンコ玉は、上部タンク１０の傾斜底部１１上に溜まり、左右の第１、第２の補助樋２０、２１に流入する。
この傾斜底部１１の下方には、後述する複数の下部貯留タンクへ、オーバーフローするパチンコ玉を分岐する分岐手段が設けられている。
【００３１】
即ち、傾斜底部１１の下方には、分岐タンク１２が設けられ、この分岐タンク１２に連通するオーバーフロー流入管１３が、傾斜底部１１から上方へ突出されている。
【００３２】
揚送装置４０でパチンコ玉が次々と揚送された上部タンク１０に送り込まれて、図２に示すように第１、第２の補助樋２０、２１の全長にわたってパチンコ玉が充填された満杯状態になると、傾斜底部１１上のパチンコ玉貯留高さが次第に高くなり、このオーバーフロー流入管１３の上端より高くなると、パチンコ玉はオーバーフロー流入管１３の上端から分岐タンク１２へ流入する。
【００３３】
分岐タンク１２内には、図２に示すように左右に高さの異なる２つの仕切部１４、１５が設けられていて、中央の凹部１６の下端の最下位のオーバーフロー流入口１７に垂直ホース７０から成る第１のオーバーフロー通路が連通され、左側の低い方の仕切部１４の左端の中間の高さのオーバーフロー流入口１８に左端側へ下り勾配に傾斜したオーバーフロー樋９０から成る第２のオーバーフロー通路が連通され、右側の仕切部１５の右端の最上位のオーバーフロー流入口１９に右端側へ下り勾配に傾斜したオーバーフロー樋１４０から成る第３のオーバーフロー通路が連通されている。
【００３４】
第１、第２の回収樋３０、３１の下端よりやや上流側において、第１、第２の中央下部貯留タンク５０、５１が、第１、第２の回収樋３０、３１より上方に設けられている。第１、第２の中央下部貯留タンク５０、５１の底板５０ａ、５１ａは、第１、第２の回収樋３０、３１から所定距離を隔てて平行になっており、第１、第２の中央下部貯留タンク５０、５１の上板５０ｂ、５１ｂは図３に示すように第１、第２の中央下部貯留タンク５０、５１の幅より狭く、幅方向の中央に設けられて幅方向の両側があいた状態となっていて、第１、第２の回収樋３０、３１とは逆向きに下り勾配となっている。（図３は右側の中央下部貯留タンク５１を例示している。）
【００３５】
この上板５０ｂ、５１ｂと同一勾配の第１、第２のカバー板５２、５３が第１、第２の回収樋３０、３１の上方を覆って設けられている。そして、第１、第２のカバー板５２、５３及び上板５０ｂ、５１ｂの上方を同一勾配に傾斜した第１、第２の補助樋６０、６１が設けられて、これらの間に通路空間Ａ、Ａ′を形成している。
【００３６】
パチンコ台２から第１、第２の補助樋６０、６１へ落下したパチンコ玉は、第１、第２の補助樋６０、６１から第１、第２の回収樋３０、３１へ落下する。
中央の垂直ホース７０の下端部７０ａは、第１、第２のカバー板５２、５３上の中央にまたがって双方へパチンコ玉を分散して排出する。分岐タンク１２の凹部１６内のパチンコ玉は、垂直ホース（第１のオーバーフロー通路）７０によって自然落下し、第１、第２のカバー板５２、５３の中心に落下して上板５０ｂ、５１ｂの双方へと自然落下し、上板５０ｂ、５１ｂの幅方向の両側から第１、第２の中央下部貯留タンク５０、５１の底板５０ａ、５１ａ方向へと落下する（図３参照）。
【００３７】
第１、第２の中央下部貯留タンク５０、５１の第１、第２の回収樋３０、３１の下流側の底部には、第１、第２の中央下部貯留タンク５０、５１内のパチンコ玉を第１、第２の回収樋３０、３１へ排出するための開閉装置５４、５５が設けられている。
【００３８】
パチンコ島１の左側の下方には、第１の島端下部貯留タンク８０が設けられている。この第１の島端下部貯留タンク８０は、パチンコ島１の端部から中央側に向かって下り勾配に傾斜した底板８１を備え、第１の回収樋３０によって上方を覆われている。
【００３９】
パチンコ島１の左端側に向かって下り勾配に傾斜したオーバーフロー樋９０の左端部には、垂直ホース１００が連通して接続されている。
第１の島端下部貯留タンク８０には、底板８１と平行で底板８１より幅の狭い中板８３が幅方向の中央に設けられていて、図３と同様に幅方向の両側があいた状態となっている。
【００４０】
垂直ホース１００の下端部１００ａは第１の回収樋３０の穴３０ａを貫通して、中板８３の上面に接していて、この垂直ホース１００の下端部１００ａには、横方向の排出口１０１が設けられていて、パチンコ玉はこの排出口１０１から中板８３の上面に排出される。
【００４１】
分岐タンク１２の中央の最下位の高さのオーバーフロー排出口１７から流入したパチンコ玉が中央の垂直ホース７０に導かれて、第１、第２の中央下部貯留タンク５０、５１内に貯留されるが、この２つの中央下部貯留タンク５０、５１が満杯に充填され、さらに中央下部貯留タンク５０、５１に連通する通路空間Ａ、Ａ′にもパチンコ玉が満杯になり、さらに垂直ホース７０も全長にわたってパチンコ玉が満杯に充填されると、上部タンク１０のオーバーフロー流入管１３からさらに分岐タンク１２内へ流入したパチンコ玉が、分岐タンク１２の凹部１６内に貯留されて図２に示すようにその貯留高さが左側の仕切部１４の高さを超えると、パチンコ玉は左側の中間の高さのオーバーフロー流入口１８からオーバーフロー樋９０、垂直ホース１００に導かれて、下端の排出口１０１から第１の島端下部貯留タンク８０の中板８３の上面に排出され、中央側へ傾斜した中板８３を通りながらその幅方向の両側から底板８１方向へ落下し、第１の島端下部貯留タンク８０内に貯留される。
【００４２】
第１の島端下部貯留タンク８０の下流側の端部には、第１の島端下部貯留タンク８０内のパチンコ玉を上方へ運んで第１の回収樋３０上へ排出するリフト装置１１０が設けられている。
パチンコ島１の景品玉計数機４側の端部には、景品玉計数機４の近傍において第２の回収樋３１の下方に第２の島端下部貯留タンク１２０が設けられている。
【００４３】
第２の島端下部貯留タンク１２０の底板１２１は中央側に下り勾配に傾斜しており、この底板１２１の下流側の端部に、第２の島端下部貯留タンク１２０内のパチンコ玉を上方へ運んで第２の回収樋３１上へ排出するリフト装置１３０が設けられている。
【００４４】
景品玉計数機４に投入されたパチンコ玉は、落下口４ａから第２の回収樋３１上に落下して、第２の回収樋３１に沿ってパチンコ島１の中央のパチンコ玉集積部４１へ落下する。
図１に示すように第２の回収樋３１の上端部近傍には、第２の島端下部貯留タンク１２０へパチンコ玉を落下させるための落下口１２２が設けられている。
【００４５】
このため、パチンコ遊技店の閉店時などのように景品玉計数機４に大量のパチンコ玉が連続的に投入されて、第２の回収樋３１の下端から最上流側までパチンコ玉が詰まった滞留状態になった場合に、第２の回収樋３１の最上端部に滞留したパチンコ玉はこの落下口１２２から第２の島端下部貯留タンク１２０内へ流入して貯留される。従って、このように構成されているから、閉店時のように景品玉計数機４に大量のパチンコ玉が連続的に投入されても、これに対応できるから、景品玉計数機４が投入不能になるのを防ぐことができる。
【００４６】
パチンコ島１の右端側に向かって下り勾配に傾斜した第２のオーバーフロー樋１４０の右端部には、垂直ホース１５０が連通して接続されている。
第２の島端下部貯留タンク１２０には、底板１２１と平行で底板１２１より幅の狭い中板１２３が幅方向の中央に設けられていて、図２と同様に幅方向の両側があいた状態となっている。
【００４７】
垂直ホース１５０の下端部１５０ａは、第２の回収樋３１の穴３１ａを貫通して中板１２３の上面に接している。そして、図４に示すように垂直ホール１５０の下端部１５０ａには、第２の回収樋３１より下方において第１の排出口１５１が設けられ、第２の回収樋３１より上方において第２の排出口１５２が設けられている。
【００４８】
前記したように、第１、第２の中央下部貯留タンク５０、５１、通路空間Ａ、Ａ′、中央の垂直ホース７０がパチンコ玉で満杯状態となり、次に、左端の第１の島端下部貯留タンク８０も満杯となり、さらに左側の垂直ホース１００及びオーバーフロー樋９０も満杯となり、上部タンク１０のオーバーフロー流入管１３からさらに分岐タンク１２内にパチンコ玉が流入すると、分岐タンク１２内のパチンコ玉の貯留高さは図２に示す高さよりさらに高くなり、ついに貯留高さが右側の仕切部１５を超えると、パチンコ玉は右側の最上位のオーバーフロー流入口１９からオーバーフロー樋１４０、垂直ホース１５０に導かれて、その下端の第１の排出口１５１から第２の島端下部貯留タンク１２０の中板１２３の上面に排出され、中板１２３上を通りつつその幅方向の両側から底板１２１方向へ落下して第２の島端下部貯留タンク１２０に貯留される。
【００４９】
そして、図４に示すように第２の島端下部貯留タンク１２０がパチンコ玉で満杯状態となり、垂直ホース１５０の下端部１５０ａまで満杯になると、第２の回収樋３１の上方にある第２の排出口１５２から、パチンコ玉は第２の回収樋３１上へ排出され、第２の回収樋３１に沿って自然落下する。このようにオーバーフロー玉は複数の下部貯留タンクに予め定められた順序で自動的に切替えられて次々と満杯にされ、最後の島端下部貯留タンク１２０が満杯となると、その上方の第２の回収樋３１上にオーバーフロー玉は排出される。
【００５０】
このようにオーバーフローしたパチンコ玉はパチンコ島の中央や島端に複数に分散して配置された各貯留タンク内に順次貯留されるから、１ケ所に貯留パチンコ玉による大重量が集合せず、床にかかる重量が分散される。従って、パチンコ遊技店の設置条件が狭くならず、例えばビルの２階や３階などにも設置できるようになる。また、各貯留タンクの１つ１つは小型ですむから、パチンコ島にでっぱりなどが生じず、通行の邪魔となったり、美観を損ねることもなくなる。
【００５１】
なお、中央の上部タンク１０のオーバーフローの分岐手段は、図２に示したものの他に、図５のように構成することもできる。
即ち、上部タンク１０は、図５に示すように中央から両側へ下り勾配に傾斜した山型の底部１１を有し、この山型の底部１１の傾斜に第１、第２の補助樋２０、２１が連続していて、この底部１１からパチンコ玉が第１、第２の補給樋２０へと自然落下する。前記上部タンク１０内の所定高さに、第１のオーバーフロー通路である垂直ホース７０の上端のパチンコ玉の最下位のオーバーフロー流入口７３が設けられ、これより所定高さ高い位置に左側の第２のオーバーフロー通路であるオーバーフロー樋９０の上端のパチンコ玉の中間の高さのオーバーフロー流入口９１が設けられ、これよりさらに高い位置に右側の第２のオーバーフロー通路であるオーバーフロー樋１４０の上端のパチンコ玉の最上位のオーバーフロー流入口１４１が設けられている。
【００５２】
この図５の分岐手段でも、オーバーフロー玉はまず中央の最下位の垂直ホース７０へ、次に左側の中間高さのオーバーフロー樋９０へ、次に右側の最上位のオーバーフロー樋１４０へと流入するから、図２の分岐手段と同じ役割を果たすことができる。
【００５３】
図１に示すように、上部タンク１０には、パチンコ玉の貯留高さを検出するための複数ケ所の高さの異なるレベル検出装置１７０、１７０、…が設けられ、また、第１、第２の中央下部貯留タンク５０、５１には、それぞれパチンコ玉の貯留高さを検出するための各１ケ所のレベル検出装置１７１、１７２が設けられ、また、第１、第２の島端下部貯留タンク８０、１２０には、それぞれパチンコ玉の貯留レベルを検出するための高さの異なる複数ケ所のレベル検出装置１７３、１７３、…及び１７４、１７４、…が設けられている。
【００５４】
図６に示すように各レベル検出装置１７０、１７１、１７２、１７３、１７４からの検出、非検出を表す信号は制御回路１８０へ入力し、制御回路１８０はこれらの信号に基づいて開閉装置５４、５５、リフト装置１１０、１３０の各動作を制御する。
【００５５】
上部タンク１０内のパチンコ玉は第１、第２の補給樋２０、２１に沿って自然落下して常に第１、第２の補給樋２０、２１内に満杯に充填された状態となっていて、台間玉貸機３に貨幣が投入されたり、パチンコ台２のセーフ穴に玉がはいったときに、ジャバラ２２下端の開閉装置（図示せず）が開いて各台間玉貸機３あるいは各パチンコ台２にパチンコ玉が落下して補給され、この補給分だけ上部タンク１０内のパチンコ玉が第１、第２の補給樋２０、２１に自然落下して満杯状態となるまで補給される。
【００５６】
遊技者がパチンコ台２に打ち込んだパチンコ玉は、第１、第２の回収樋３０、３１あるいは第１、第２の補助樋６０、６１上に落下し、第１、第２の補助樋６０、６１上のパチンコ玉は第１、第２の回収樋３０、３１上に落下する。そして、第１、第２の回収樋３０、３１に沿って自然落下してその最下端の落下口３２からパチンコ玉集積部４１へ落下する。
【００５７】
パチンコ玉集積部４１に集積されたパチンコ玉は、常時パチンコ玉揚送装置４０の水平管４３から揚送管４４内を研磨材と共に混合されて洗浄されつつ上部タンク１０へと揚送される。パチンコ玉は揚送管４４の上端の排出口４４ａから側方の傾斜したすのこ４７へ研磨材とパチンコ玉とが排出され、パチンコ玉は上段のすのこ４７上を自然落下し、親島（景品玉計数機が設置されたパチンコ島）から子島（景品玉計数機が設置されていないパチンコ島）へとパチンコ玉を補給するための後述するバランス樋１６０の上端部を経由し、下段の傾斜したすのこ４８上を自然落下して上部タンク１０内に送り込まれている。
【００５８】
パチンコ玉揚送装置４０によって常時パチンコ玉は上部タンク１０へ揚送されているので、景品玉計数機４へ大量に連続的に遊技者によってパチンコ玉が投入され、このパチンコ玉が第２の回収樋３１から中央のパチンコ玉集積部４１に回収され、パチンコ玉揚送装置４０で上部タンク１０に次々と揚送され、一方パチンコ台２への景品玉としてのパチンコ玉の排出が少なくなると、上部タンク１０内のパチンコ玉の貯留高さが次第に高くなる。そして、所定高さを超えると、前記したようにオーバーフロー玉が分岐手段によって分岐されて、まず第１、第２の中央下部貯留タンク５０、５１に貯留され、これらが満杯になると、次に左側の第１の島端下部貯留タンク８０に貯留され、これが満杯になると、最後に右側の第２の島端下部貯留タンク１２０に貯留され、これが満杯になると第２の回収樋３１上に放出される。
【００５９】
パチンコ玉揚送装置４０で揚送される玉数よりパチンコ台２及び台間玉貸機３からの出玉の方が多くなると、上部タンク１０内のパチンコ玉の貯留量が次第に減少する。
【００６０】
図６の制御装置１８０は、上部タンク１０内の複数のレベル検出装置１７０、１７０、…からの信号を受けて上部タンク１０内のパチンコ玉の貯留高さを判別し、ある高さを下回ると、まず第１に右端の第２の島端下部貯留タンク１２０のリフト装置１３０に信号を送って駆動させる。
【００６１】
リフト装置１３０は第２の島端下部貯留タンク１２０内のパチンコ玉を第２の回収樋３１まで持ち上げて排出し、排出されたパチンコ玉は第２の回収樋３１に沿って落下し、パチンコ玉揚送装置４０によって上部タンク１０内へ送り込まれる。
【００６２】
これによって上部タンク１０内のパチンコ玉の貯留高さが前記高さを上回ると、制御装置１８０はリフト装置１３０へ信号を送って駆動を停止させる。
しかし、パチンコ台２などからの出玉が多くて、この第２の島端下部貯留タンク１２０からのパチンコ玉補給によっても、所定時間内に前記貯留高さに回復しない場合には、制御装置１８０はさらに左側の第１の島端下部貯留タンク８０のリフト装置１１０へ信号を送って駆動させ、第１の島端下部貯留タンク８０内のパチンコ玉も同様に上部タンク１０へ補給させる。これによって、上部タンク１０内のパチンコ玉が前記貯留高さに回復した場合には、第１、第２の島端下部貯留タンク８０、１２０のリフト装置１１０、１３０の駆動を停止させる。
【００６３】
それでも、前記貯留高さに回復しない場合には、制御装置１８０はさらに中央下部貯留タンク５０、５１の開閉装置５４、５５へ信号を送って開閉装置５４、５５を開かせ、中央下部貯留タンク５０、５１内のパチンコ玉を同様に上部タンク１０へと補給させる。これによって前記高さに回復すれば制御装置は信号を送って開閉装置５４、５５を閉じさせる。
【００６４】
このように制御装置１８０は、最上位から最下位のオーバーフロー高さに対応した各下部貯留タンクへ到る予め決められた順序で、各下部貯留タンク内のパチンコ玉を回収樋へ送出して上部タンクへ送り込むから、この送り込みが不要となった際に、次に上部タンク内のオーバーフロー玉を先にパチンコ玉を送出した下部貯留タンクから先に貯留させることができる。
【００６５】
また、下部貯留タンクが複数設けられていて、各下部貯留タンクからそれぞれパチンコ玉を送出できるから、１つの前記リフト装置あるいは前記開閉装置に故障が生じても、他のリフト装置あるいは他の開閉装置によってパチンコ玉を送出でき、パチンコ玉を上部タンク１０へ送れないパニック状態を回避できる。
【００６６】
また、パチンコ台２からの出玉が急激でいきなり上部タンク１０の最低貯留高さを下回るような緊急の場合には、制御装置１８０はリフト装置１３０、１１０を駆動する他に、開閉装置５４、５５も開かせる。
【００６７】
図７は景品玉計数機４が設置されていないパチンコ島（子島）１′を示している。景品玉計数機４がない以外はほぼ同一の構成なので、その説明は省略する。
【００６８】
景品玉計数機４を備えた図１のパチンコ島（親島）１の上部タンク１０から景品玉計数機４を備えていない図７のパチンコ島（子島）１′の上部タンク１０へ下り勾配に傾斜したバランス樋１６０の下端部１６０ｂが架け渡されていて、子島１′の上部タンク１０への流入口にはシャッター１６１が設けられている。このバランス樋１６０はシャッター１６１が閉じられた状態では、上端まで親島１からのパチンコ玉で満杯に充填された状態となっていて、シャッター１６１が開くと、バランス樋１６０内のパチンコ玉が子島１′の上部タンク１０内に流入する。
【００６９】
このバランス樋１６０のシャッター１６１の開閉は、子島１′の各レベル検出装置及び親島１の各レベル検出装置からの信号を制御回路１８０で受けて、子島１′全体におけるパチンコ玉保有量の多少と親島１全体におけるパチンコ玉保有量の多少に対応して制御回路１８０がシャッター１６１を開閉制御する。
【００７０】
図８、９は、パチンコ島（親島１あるいは子島１′）内のパチンコ玉保有量アップのために、第１、第２の補給樋２０、２１に、部分的に、あるいは全長にわたって、第１、第２の補給樋２０、２１の底面下側に補給サブタンク１９０を設けた実施形態を示している。
【００７１】
この補給サブタンク１９０は第１、第２の回収樋２０、２１より幅が広く、多段的にパチンコ玉を貯留できる高さに形成されている。第１、第２の補給樋２０、２１の底板２３の幅方向の側方あるいは中央には、第１、第２の補給樋２０、２１内のパチンコ玉が流入するための開口部２３ａが設けられていて、常に第１、第２の補給樋２０、２１内のパチンコ玉が前記開口部２３ａから落下して補給サブタンク１９０に充填された状態となっている。
【００７２】
補給サブタンク１９０内のパチンコ玉はジャバラ２２、１９１を介してパチンコ台２及び台間玉貸機３へ自然落下して供給される。
この補給サブタンク１９０は各パチンコ台ごとに対応して設けてもよい。
このように補給サブタンク１９０を設ければ、パチンコ台２及び台間玉貸機３へ補給するためのパチンコ玉を常に大量に保有できるから、パチンコ玉のパチンコ台２などへの補給にゆとりができ、上部タンク１０内のパチンコ玉が貯留量が少なくなってもパチンコ台２での大量のパチンコ玉の放出などに対応することができる。
【００７３】
なお、パチンコ台２や台間玉貸機３のすき間からいたずらで挿入されたカードが第１、第２の回収樋３０、３１あるいは第１、第２の補助樋６０、６１の上に落下し、パチンコ玉と共に揚送装置４０のパチンコ玉集積部４１にはいって支障を来すことがある。これを防ぐために、図１に示すようにパチンコ台２から落下するパチンコ玉は通過させるがカードは通過させない間隔で２本の棒２００、２００が、落下口４１に設けられている。
【００７４】
なお、以上の説明ではバランス樋１６０を備えた親島、子島につて説明したが、本発明はバランス樋１６０のないパチンコ島（独立島）についても適用されることは勿論である。
【００７５】
また、いずれのパチンコ島においても、パチンコ台２の大量玉出し時などに、制御回路１８０によって各下部貯留タンクからパチンコ玉を排出させて上部タンク１０へパチンコ玉揚送装置４０によって送り込むようにする他に、手動スイッチによって各タンク内のパチンコ玉を排出させて上部タンク１０へパチンコ玉揚送装置４０によって送り込むようにすることもできる。
【００７６】
また、第２の島端下部貯留タンク１２０のリフト装置１３０を、常に間欠運転するように、あるいは間欠ではなく連続運転するように、制御回路１８０で制御して、常にオーバーフロー玉が循環するようにすることもできる。
【００７７】
このように常に上部タンク１０でパチンコ玉をオーバーフロー状態にしておけばパチンコ台での緊急の大量玉出し時でも補給樋２０、２１からのパチンコ玉の補給に支障を生じることを防止できる。
【００７８】
また、リフト装置１１０、１３０、開閉装置５４、５５、シャッター１６１の正常動作の監視装置を設けて、これらにトラブルが生じたときには、制御回路１８０から信号を出力してトラブルを表示させることもできる。
【００７９】
【発明の効果】
このように本発明では、上部タンク内のパチンコ玉の貯留高さが所定レベルを超えると、分岐手段によってまず最下位のオーバーフロー通路を通って、パチンコ島下部の複数箇所の下部貯留タンクのうちの最下位のオーバーフロー通路に対応する下部貯留タンクにパチンコ玉が貯留され、この下部貯留タンクにパチンコ玉が満杯になり、上部タンク内のパチンコ玉の貯留量が最下位の次に高いオーバーフロー通路の流入部の高さより高くなると、この次に高いオーバーフロー通路を通って、このオーバーフロー通路に対応する下部貯留タンクにパチンコ玉が貯留される。このようにして順次高い位置のオーバーフロー通路を通って上部タンク内のパチンコ玉はそのオーバーフロー通路に対応する下部貯留タンク内に貯留される。このように、パチンコ島の下部に複数箇所に分岐して設けられた各下部貯留タンクに、上部タンクでオーバーフローしたパチンコ玉が順次自動的に切り替えられて貯留される。
【００８０】
このようにパチンコ玉はパチンコ島下部の複数箇所に下部貯留タンクに分散して貯留することができるから、１ケ所に貯留パチンコ玉による大重量が集中せずに分散され、床に重量が集中する危険がなくなり、このため、ビルの２階、３階などにも設置できるようになる。
【００８１】
また、上部タンクでパチンコ玉を必要とするとき、複数の各下部貯留タンクのそれぞれからパチンコ玉を送出できるから、１ケ所の下部貯留タンクの送出装置が故障してもパチンコ玉のパチンコ台への補給不能などのパニックを避けることができる。
【００８２】
また、複数の下部貯留タンクに分散してパチンコ玉を貯留するから、１つ１つの下部貯留タンクは小型ですみ、このためパチンコ島の適当な明いたスペースに下部貯留タンクを設置できる。従って、大型の１個のタンクを設けた場合のようにパチンコ島の側方へでっぱって通行しにくくなったり、美観を損ねるなどの不都合もなくなる。
【図面の簡単な説明】
【図１】本発明の一実施形態の親島の概略構成図
【図２】図１の実施形態における上部タンクの分岐手段の概略構成を示す断面図
【図３】図１の実施形態における第２の中央下部貯留タンクの一部を示す断面図
【図４】図１の実施形態における垂直ホースの下端部の構成を示す断面図
【図５】上部タンクの分岐手段の他の実施形態を示す断面図
【図６】本発明の制御部を示すブロック図
【図７】本発明の一実施形態の子島の概略構成図
【図８】本発明の他の実施形態における補給樋の構成を示す正面図
【図９】図８におけるＣ−Ｃ断面図
【図１０】従来のパチンコ島を示す概略構成図
【符号の説明】
１  パチンコ島
２  パチンコ台
３  台間玉貸機
４  景品玉計数機
１０  上部タンク
２０  第１の補給樋
２１  第２の補給樋
３０  第１の回収樋
３１  第２の回収樋
３２  落下口
４０  パチンコ玉揚送装置
４１  パチンコ玉集積部
４２  揚送管
５０  第１の中央下部貯留タンク
５１  第２の中央下部貯留タンク
５４、５５  開閉装置
７０  垂直ホース
７１  第１の排出口
７２  第２の排出口
８０  第１の島端下部貯留タンク
９０  オーバーフロー樋
１００  垂直ホース
１１０  リフト装置
１２０  第２の島端下部貯留タンク
１３０  リフト装置
１４０  オーバーフロー樋
１５０  垂直ホース
１６０  バランス樋
１６１  シャッター
１８０  制御装置
１９０  補給サブタンク
２００  棒
【図１】
0003813652.tif 000002
【図２】
0003813652.tif 000003
【図３】
0003813652.tif 000004
【図４】
0003813652.tif 000005
【図５】
0003813652.tif 000006
【図６】
0003813652.tif 000007
【図７】
0003813652.tif 000008
【図８】
0003813652.tif 000009
【図９】
0003813652.tif 000010
【図１０】
0003813652.tif 000011